(57)【要約】  情報処理装置（１０）は、他装置（３０）の位置及び自装置（５０）の位置を取得する位置取得部（１２）と、前記他装置の位置に基づいて現目的地を設定する現目的地設定部（１３）と、前記現目的地と前記自装置との距離に基づいて基準距離を設定する基準距離設定部（１７）と、前記他装置の位置が変化した場合に当該変化した前記他装置の位置に基づいて新目的地を設定する新目的地設定部（１４）と、を含む。前記現目的地設定部は、前記現目的地と前記新目的地との距離が前記基準距離以上となった際に前記新目的地を現目的地に設定する。
2018198660.tif 000002
【特許請求の範囲】
【請求項１】
他装置の位置及び自装置の位置を取得する位置取得部と、  前記他装置の位置に基づいて現目的地を設定する現目的地設定部と、  前記現目的地と前記自装置との距離に基づいて基準距離を設定する基準距離設定部と、  前記他装置の位置が変化した場合に当該変化した前記他装置の位置に基づいて新目的地を設定する新目的地設定部と、を含み、  前記現目的地設定部は、前記現目的地と前記新目的地との距離が前記基準距離以上となった際に前記新目的地を現目的地に設定することを特徴とする情報処理装置。
【請求項２】
前記基準距離設定部は、前記現目的地と前記自装置との距離が長くなるほど基準距離を長く設定することを特徴とする請求項１に記載の情報処理装置。
【請求項３】
前記現目的地の位置と前記自装置の位置に基づいて、前記自装置の位置から前記現目的地までの経路情報を生成する経路情報生成部を有することを特徴とする請求項１又は２に記載の情報処理装置。
【請求項４】
他装置の位置及び自装置の位置を取得する位置取得部と、  前記他装置の位置に基づいて現目的地を設定する現目的地設定部と、  前記他装置の位置が変化した場合に当該変化した前記他装置の位置に基づいて新目的地を設定する新目的地設定部と、  前記自装置の位置から前記現目的地までの所要時間を算出し、前記所要時間に基づいて基準距離を設定する基準距離設定部と、を含み、  前記現目的地設定部は、前記現目的地と前記新目的地との距離が前記基準距離以上となった際に前記新目的地を現目的地に設定することを特徴とする情報処理装置。
【請求項５】
前記基準距離設定部は、前記所要時間が長くなるほど前記基準距離を長く設定することを特徴とする請求項４に記載の情報処理装置。
【請求項６】
前記現目的地の位置と前記自装置の位置に基づいて、前記自装置の位置から前記現目的地までの経路情報を生成する経路情報生成部を有することを特徴とする請求項４又は５に記載の情報処理装置。
【請求項７】
一方の装置の位置及び他方の装置の位置を取得する位置取得部と、  前記一方の装置の位置に基づいて現目的地を設定する現目的地設定部と、  前記現目的地と前記他方の装置との距離に基づいて基準距離を設定する基準距離設定部と、  前記一方の装置の位置が変化した場合に当該変化した前記一方の装置の位置に基づいて新目的地を設定する新目的地設定部と、を含み、  前記現目的地設定部は、前記現目的地と前記新目的地との距離が前記基準距離以上となった際に前記新目的地を現目的地に設定することを特徴とする情報処理装置。
【請求項８】
前記基準距離設定部は、前記現目的地と前記他方の装置との距離が長くなるほど前記基準距離を長く設定することを特徴とする請求項７に記載の情報処理装置。
【請求項９】
前記現目的地の位置と前記他方の装置の位置に基づいて、前記他方の装置の位置から前記現目的地までの経路情報を生成する経路情報生成部を有することを特徴とする請求項７又は８に記載の情報処理装置。
【請求項１０】
一方の装置の位置及び他方の装置の位置を取得する位置取得部と、  前記一方の装置の位置に基づいて現目的地を設定する現目的地設定部と、  前記一方の装置の位置が変化した場合に当該変化した前記一方の装置の位置に基づいて新目的地を設定する新目的地設定部と、  前記他方の装置の位置から前記現目的地に到着するまでの所要時間を算出し、前記所要時間に基づいて基準距離を設定する基準距離設定部と、を含み、  前記現目的地設定部は、前記現目的地と前記新目的地との距離が前記基準距離以上となった際に前記新目的地を現目的地に設定することを特徴とする情報処理装置。
【請求項１１】
前記基準距離設定部は、前記所要時間が長くなるほど前記基準距離を長く設定することを特徴とする請求項１０に記載の情報処理装置。
【請求項１２】
前記現目的地の位置と前記他方の装置の位置に基づいて、前記他方の装置の位置から前記現目的地までの経路情報を生成する経路情報生成部を有することを特徴とする請求項１０又は１１に記載の情報処理装置。
【請求項１３】
自装置の位置及び他装置の位置を取得する位置取得部と、  前記自装置の位置に基づいて現目的地を設定する現目的地設定部と、  前記現目的地と前記他装置との距離に基づいて基準距離を設定する基準距離設定部と、  前記自装置の位置が変化した場合に当該変化した前記自装置の位置に基づいて新目的地を設定する新目的地設定部と、を含み、  前記現目的地設定部は、前記現目的地と前記新目的地との距離が前記基準距離以上となった際に前記新目的地を現目的地に設定することを特徴とする情報処理装置。
【請求項１４】
前記基準距離設定部は、前記現目的地と前記自装置との距離が長くなるほど前記基準距離を長く設定することを特徴とする請求項１３に記載の情報処理装置。
【請求項１５】
前記現目的地の位置と前記他装置の位置に基づいて、前記他装置の位置から前記現目的地までの経路情報を生成する経路情報生成部を有することを特徴とする請求項１３又は１４に記載の情報処理装置。
【請求項１６】
自装置の位置及び他装置の位置を取得する位置取得部と、  前記自装置位置に基づいて現目的地を設定する現目的地設定部と、  前記自装置の位置が変化した場合に当該変化した前記自装置の位置に基づいて新目的地を設定する新目的地設定部と、  前記他装置の位置から前記現目的地に到着するまでの所要時間を算出し、前記所要時間に基づいて基準距離を設定する基準距離設定部と、を含み、  現目的地設定部は、前記現目的地と前記新目的地との距離が前記基準距離以上となった際に前記新目的地を現目的地に設定することを特徴とする情報処理装置。
【請求項１７】
前記基準距離設定部は、前記所要時間が長くなるほど前記基準距離を長く設定することを特徴とする請求項１６に記載の情報処理装置。
【請求項１８】
前記現目的地の位置と前記他装置の位置に基づいて、前記他装置の位置から前記現目的地までの経路情報を生成する経路情報生成部を有することを特徴とする請求項１６又は１７に記載の情報処理装置。
【請求項１９】
一方の装置の位置及び他方の装置の位置を取得するステップと、  前記一方の装置の位置に基づいて現目的地を設定するステップと、  前記現目的地と前記他方の装置との距離に基づいて基準距離を設定するステップと、  前記一方の装置の位置が変化した場合に当該変化した前記一方の装置の位置に基づいて新目的地を設定するステップと、  前記現目的地と前記新目的地との距離が前記基準距離以上となった際に前記新目的地を現目的地に設定するステップと、  を有することを特徴とする情報処理方法。
【請求項２０】
一方の装置の位置及び他方の装置の位置を取得するステップと、  前記一方の装置の位置に基づいて現目的地を設定するステップと、  前記一方の装置の位置が変化した場合に当該変化した前記一方の装置の位置に基づいて新目的地を設定するステップと、  前記他方の装置の位置から前記現目的地に到着するまでの所要時間を算出し、前記所要時間に基づいて基準距離を設定するステップと、  前記現目的地と前記新目的地との距離が前記基準距離以上となった際に前記新目的地を現目的地に設定するステップと、  を有することを特徴とする情報処理方法。
【請求項２１】
コンピュータに、  一方の装置の位置及び他方の装置の位置を取得するステップと、  前記一方の装置の位置に基づいて現目的地を設定するステップと、  前記現目的地と前記他方の装置との距離に基づいて基準距離を設定するステップと、  前記一方の装置の位置が変化した場合に当該変化した前記一方の装置の位置に基づいて新目的地を設定するステップと、  前記現目的地と前記新目的地との距離が前記基準距離以上となった際に前記新目的地を現目的地に設定するステップと、  を実行させるためのプログラム。
【請求項２２】
コンピュータに、  一方の装置の位置及び他方の装置の位置を取得するステップと、  前記一方の装置の位置に基づいて現目的地を設定するステップと、  前記一方の装置の位置が変化した場合に当該変化した前記一方の装置の位置に基づいて新目的地を設定するステップと、  前記他方の装置の位置から前記現目的地に到着するまでの所要時間を算出し、前記所要時間に基づいて基準距離を設定するステップと、  前記現目的地と前記新目的地との距離が前記基準距離以上となった際に前記新目的地を現目的地に設定するステップと、  を実行させるためのプログラム。
【発明の詳細な説明】
【技術分野】
【０００１】  本発明は、情報処理装置、及び経路探索方法に関する。
【背景技術】
【０００２】  例えば、携帯電話等の端末を所持する人と待ち合わせを支援するための経路探索装置が知られている。【０００３】  このような経路探索装置として例えば、他端末の現在位置を示す位置情報を取得する位置情報取得部と、前記位置情報に基づいて目標地を設定し、当該目標地までの経路を探索する探索部と、前記他端末に対し、前記目標地を通知する目標地通知部と、を備え、前記探索部は、前記他端末の位置情報の変化に応じて前記目標地を更新し、前記目標地通知部は、前記探索部による前記目標地の更新ごとに、更新後の前記目標地を通知する探索装置が特許文献１に開示されている。
【先行技術文献】
【特許文献】
【０００４】
【特許文献１】特開２０１５−２１９２１９号公報
【発明の概要】
【発明が解決しようとする課題】
【０００５】  特許文献１の探索装置は、他端末の位置情報が更新されると探索部が目標地を更新し、目標地の更新ごとに目標地通知部が目標地を通知する装置である。【０００６】  このため、例えば、探索装置と他端末の間が遠くに離れているにも拘らず、他端末がわずかに移動するごとに目標地が更新されたことを通知されると、ユーザは煩わしさを感じることが課題の一例として挙げられる。【０００７】  本発明は上記した点に鑑みてなされたものであり、情報処理装置と他装置の間の距離に応じて適切なタイミングでユーザに情報を提示することが可能な情報処理装置を提供すること課題の１つとする。
【課題を解決するための手段】
【０００８】  本願請求項１に記載の情報処理装置は、他装置の位置及び自装置の位置を取得する位置取得部と、前記他装置の位置に基づいて現目的地を設定する現目的地設定部と、前記現目的地と前記自装置との距離に基づいて基準距離を設定する基準距離設定部と、前記他装置の位置が変化した場合に当該変化した前記他装置の位置に基づいて新目的地を設定する新目的地設定部と、を含み、前記現目的地設定部は、前記現目的地と前記新目的地との距離が前記基準距離以上となった際に前記新目的地を現目的地に設定することを特徴とする。【０００９】  本願請求項４に記載の情報処理装置は、他装置の位置及び自装置の位置を取得する位置取得部と、前記他装置の位置に基づいて現目的地を設定する現目的地設定部と、前記他装置の位置が変化した場合に当該変化した前記他装置の位置に基づいて新目的地を設定する新目的地設定部と、前記自装置の位置から前記現目的地までの所要時間を算出し、前記所要時間に基づいて基準距離を設定する基準距離設定部と、を含み、前記現目的地設定部は、前記現目的地と前記新目的地との距離が前記基準距離以上となった際に前記新目的地を現目的地に設定することを特徴とする。【００１０】  本願請求項７に記載の情報処理装置は、一方の装置の位置及び他方の装置の位置を取得する位置取得部と、前記一方の装置の位置に基づいて現目的地を設定する現目的地設定部と、前記現目的地と前記他方の装置との距離に基づいて基準距離を設定する基準距離設定部と、前記一方の装置の位置が変化した場合に当該変化した前記一方の装置の位置に基づいて新目的地を設定する新目的地設定部と、を含み、前記現目的地設定部は、前記現目的地と前記新目的地との距離が前記基準距離以上となった際に前記新目的地を現目的地に設定することを特徴とする。【００１１】  本願請求項１０に記載の情報処理装置は、一方の装置の位置及び他方の装置の位置を取得する位置取得部と、前記一方の装置の位置に基づいて現目的地を設定する現目的地設定部と、前記一方の装置の位置が変化した場合に当該変化した前記一方の装置の位置に基づいて新目的地を設定する新目的地設定部と、前記他方の装置の位置から前記現目的地に到着するまでの所要時間を算出し、前記所要時間に基づいて基準距離を設定する基準距離設定部と、を含み、前記現目的地設定部は、前記現目的地と前記新目的地との距離が前記基準距離以上となった際に前記新目的地を現目的地に設定することを特徴とする。【００１２】  本願請求項１３に記載の情報処理装置は、自装置の位置及び他装置の位置を取得する位置取得部と、前記自装置の位置に基づいて現目的地を設定する現目的地設定部と、前記現目的地と前記他装置との距離に基づいて基準距離を設定する基準距離設定部と、前記自装置の位置が変化した場合に当該変化した前記自装置の位置に基づいて新目的地を設定する新目的地設定部と、を含み、前記現目的地設定部は、前記現目的地と前記新目的地との距離が前記基準距離以上となった際に前記新目的地を現目的地に設定することを特徴とする。【００１３】  本願請求項１６に記載の情報処理装置は、自装置の位置及び他装置の位置を取得する位置取得部と、前記自装置位置に基づいて現目的地を設定する現目的地設定部と、前記自装置の位置が変化した場合に当該変化した前記自装置の位置に基づいて新目的地を設定する新目的地設定部と、前記他装置の位置から前記現目的地に到着するまでの所要時間を算出し、前記所要時間に基づいて基準距離を設定する基準距離設定部と、を含み、現目的地設定部は、前記現目的地と前記新目的地との距離が前記基準距離以上となった際に前記新目的地を現目的地に設定することを特徴とする。【００１４】  本願請求項１９に記載の情報処理方法は、一方の装置の位置及び他方の装置の位置を取得するステップと、前記一方の装置の位置に基づいて現目的地を設定するステップと、前記現目的地と前記他方の装置との距離に基づいて基準距離を設定するステップと、前記一方の装置の位置が変化した場合に当該変化した前記一方の装置の位置に基づいて新目的地を設定するステップと、前記現目的地と前記新目的地との距離が前記基準距離以上となった際に前記新目的地を現目的地に設定するステップと、を有することを特徴とする。【００１５】  本願請求項２０に記載の情報処理方法は、一方の装置の位置及び他方の装置の位置を取得するステップと、前記一方の装置の位置に基づいて現目的地を設定するステップと、前記一方の装置の位置が変化した場合に当該変化した前記一方の装置の位置に基づいて新目的地を設定するステップと、前記他方の装置の位置から前記現目的地に到着するまでの所要時間を算出し、前記所要時間に基づいて基準距離を設定するステップと、前記現目的地と前記新目的地との距離が前記基準距離以上となった際に前記新目的地を現目的地に設定するステップと、を有することを特徴とする。【００１６】  本願請求項２１に記載のプログラムは、コンピュータに、一方の装置の位置及び他方の装置の位置を取得するステップと、前記一方の装置の位置に基づいて現目的地を設定するステップと、前記現目的地と前記他方の装置との距離に基づいて基準距離を設定するステップと、前記一方の装置の位置が変化した場合に当該変化した前記一方の装置の位置に基づいて新目的地を設定するステップと、前記現目的地と前記新目的地との距離が前記基準距離以上となった際に前記新目的地を現目的地に設定するステップと、を実行させることを特徴とする。【００１７】  本願請求項２２に記載のプログラムは、コンピュータに、一方の装置の位置及び他方の装置の位置を取得するステップと、前記一方の装置の位置に基づいて現目的地を設定するステップと、前記一方の装置の位置が変化した場合に当該変化した前記一方の装置の位置に基づいて新目的地を設定するステップと、前記他方の装置の位置から前記現目的地に到着するまでの所要時間を算出し、前記所要時間に基づいて基準距離を設定するステップと、前記現目的地と前記新目的地との距離が前記基準距離以上となった際に前記新目的地を現目的地に設定するステップと、を実行させることを特徴とする。
【図面の簡単な説明】
【００１８】
【図１】実施例１に係る経路探索装置と端末装置と情報処理装置との構成を示すブロック図である。
【図２】端末装置の画像表示の一例を示す図である。
【図３】端末装置と経路探索装置間の距離に対する基準距離を示す表を示した図である。
【図４】実施例１に係る情報処理装置の処理フローを示すフロー図である。
【図５】端末装置と経路探索装置間の距離に対する基準距離を示す表を示した図である。
【図６Ａ】端末装置の画像表示の一例を示す図である。
【図６Ｂ】端末装置の画像表示の一例を示す図である。
【図７】経路探索装置の所要時間に対する基準距離を示す表を示した図である。
【図８】経路探索装置の所要時間に対する基準距離を示す表を示した図である。
【図９】実施例２に係る情報処理装置の処理フローを示すフロー図である。
【図１０】実施例３に係る経路探索装置と端末装置と情報処理装置との構成を示すブロック図である。
【図１１】実施例４に係る経路探索装置と端末装置と情報処理装置との構成を示すブロック図である。
【図１２】実施例５に係る経路探索装置と端末装置と情報処理装置との構成を示すブロック図である。
【図１３Ａ】端末装置と経路探索装置間の距離に対する基準時間を示す表を示した図である。
【図１３Ｂ】端末装置と経路探索装置間の距離に対する基準時間を示す表を示した図である。
【図１３Ｃ】端末装置と経路探索装置間の距離に対する基準時間を示す表を示した図である。
【図１４】実施例５に係る情報処理装置の処理フローを示すフロー図である。
【図１５】実施例６に係る経路探索装置と端末装置と情報処理装置との構成を示すブロック図である。
【図１６】実施例７に係る経路探索装置と端末装置と情報処理装置との構成を示すブロック図である。
【発明を実施するための形態】
【００１９】  以下において、本発明の好適な実施例について説明する。しかし、これらを適宜改変し、組み合わせてもよい。また、以下の説明及び添付図面において、実質的に同一又は等価な部分には同一の参照符を付して説明する。
【実施例１】
【００２０】  以下に、本発明の実施例１である経路案内システム１００について、添付の図面を参照して説明する。【００２１】  図１に示すように、経路案内システム１００は、情報処理装置としてのサーバー１０、情報処理装置としての端末装置３０、情報処理装置としての経路探索装置５０のそれぞれが、ネットワークＮＷを介して通信可能に接続されている。【００２２】  端末装置３０は、図２にも示すように、例えば、スマートフォン等の端末である。端末は、スマートフォンや携帯電話以外にも、タブレット端末であってもよいし、自動車、自転車、バイク、飛行機、船舶、に搭載される機器であっても良い。【００２３】  経路探索装置５０は、例えば、自動車等の移動体に搭載される。移動体は、自転車、バイク、飛行機、船舶、移動する人等、自動車以外の移動体であっても良い。【００２４】  サーバー１０は、サーバー１０を制御する制御部１１と、各種情報を格納する記憶部１９と、端末装置３０及び経路探索装置５０と通信する通信部２０と、から構成されている。【００２５】  制御部１１は、例えば、演算処理を行う中央処理装置、不揮発性メモリ、揮発性メモリを含むコンピュータである。【００２６】  位置取得部は１２、制御部１１の機能ブロックの１つである。位置取得部１２は、端末装置３０及び経路探索装置５０から送信されたそれぞれの装置の位置情報を通信部２０を介して取得し、各位置情報を記憶部１９に格納する。【００２７】  現目的地設定部１３は、制御部１１の機能ブロックの１つである。現目的地設定部１３は、端末装置３０から送信された当該装置の位置情報に基づいて現目的地を設定する。【００２８】  現目的地設定部１３は、現目的地と新目的地との距離が基準距離以上となった場合に当該新目的地を現目的地に設定し、設定した現目的地の位置情報を経路探索装置５０に送信する。【００２９】  新目的地設定部１４は、制御部１１の機能ブロックの１つである。新目的地設定部１４は、端末装置３０の位置が変化した場合に当該変化した端末装置３０の位置に基づいて新目的地を設定する。【００３０】  現目的地及び新目的地は、端末装置３０の位置そのものであっても良い。また、端末装置３０が公園や駅構内等施設内に位置している場合は、端末装置３０の位置から自動車が近づくことができる最寄りの場所、例えば、公園の駐車場や、駅のロータリーであってもよい。【００３１】  経路情報生成部１６は、制御部１１の機能ブロックの１つである。経路情報生成部１６は、現目的地の位置情報に基づいて経路探索装置５０の経路情報を生成する。【００３２】  基準距離設定部１７は、制御部１１の機能ブロックの１つである。基準距離設定部１７は、現目的地と経路探索装置５０との距離に基づいて基準距離を設定する。【００３３】  基準距離設定部１７が設定する基準距離Ｂは、例えば、図３に示すように、現目的地と経路探索装置５０間の距離Ａに応じて、現目的地と新目的地の距離を定めたものである。【００３４】  図３に示すように、距離ＡがＡ１〜Ａ５の距離に相当するときの基準距離ＢがＢ１〜Ｂ５に定められている。【００３５】  具体的な距離Ａのとしては、現目的地と経路探索装置５０間の距離Ａが０〜１ｋｍのときをＡ１、���−２ｋｍのときをＡ２、２−５ｋｍのときをＡ３、５−１０ｋｍのときをＡ４、１０ｋｍ以上のときをＡ５として定められている。【００３６】  また、距離Ａ１〜Ａ５に応じた基準距離Ｂは、距離Ａ１のときの基準距離をＢ１（２０ｍ）とし、距離Ａ２のときの基準距離をＢ２（５０ｍ）とし、距離Ａ３のときの基準距離をＢ３（１００ｍ）とし、距離Ａ４のときの基準距離をＢ４（２００ｍ）とし、距離Ａ５のときの基準距離をＢ５（５００ｍ）として定められている。【００３７】  したがって、例えば、現目的地と経路探索装置５０間の距離Ａが１０ｋｍ以上離れている距離Ａ５に相当するときは、現目的地と新目的地の距離が距離Ｂ５に相当する５００ｍ以上離れたときに、現目的地設定部１３が現目的地を送信するように定められている。【００３８】  このように、基準距離Ｂは、距離Ａが短いときは頻繁に現目的地設定部１３が現目的地の位置情報を送信し、距離Ａが長くなるにしたがって現目的地設定部１３が現目的地の位置情報を送信する間隔をより長くなるように設定するとよい。【００３９】  距離Ａは、例えば、比較的両者が離れている１０ｋｍ以上の場合は、より新しい位置情報を用いることができるため、移動後の端末装置３０の位置及び移動後の経路探索装置５０の位置に基づいて設定してもよい。【００４０】  本実施例においては、距離Ａは、移動前の端末装置３０の位置及び移動前の経路探索装置５０の位置に基づいて設定したものであるが、移動後の端末装置３０の位置及び移動後の経路探索装置５０の位置に基づいて設定してもよい。【００４１】  尚、距離Ａは、現目的地と経路探索装置５０間の直線距離であってもよいし、実際の経路に基づく道のりの距離であってもよい。【００４２】  記憶部１９は、半導体メモリ等によって構成されているもので、端末装置３０及び経路探索装置５０の位置情報、基準距離等を格納している。【００４３】  通信部２０は、経路探索装置５０及び端末装置３０と通信可能にネットワークＮＷを介して通信可能に接続されている。通信部２０は、例えば、各装置３０，５０との間で様々な情報を送受信可能である通信装置を含んでいる。【００４４】  端末装置３０は、端末装置３０を制御する制御部３１と、地図情報等を表示する表示部３２と、端末装置３０に対して操作を行う操作部３３と、通信部３４と、各種情報を格納する記憶部３５と、を有している。【００４５】  制御部３１は、中央処理装置、不揮発性メモリ、揮発性メモリを含むコンピュータである。【００４６】  位置取得部３６は、制御部３１の機能ブロックの１つである。位置取得部３６は、端末装置３０の位置情報を取得する。【００４７】  位置取得部３６は、例えば、GPS（Global Positioning System）受信機を有し、端末装置３０の緯度経度を算出することで位置情報を得ている。【００４８】  この位置情報は、緯度経度の他に、例えば、端末装置３０が位置情報をアップロードしたアップロード時刻が含まれていてもよい。【００４９】  表示部３２は、例えば、液晶等のディスプレイであって、地図情報等を表示する。【００５０】  操作部３３は、例えば、表示部３２に表示された入力ボタンを押下することによって入力されるタッチパネルである。【００５１】  通信部���４は、サーバー１０及び経路探索装置５０と通信可能にネットワークＮＷを介して通信可能に接続されている。通信部３４は、例えば、各装置１０，５０との間で様々な情報を送受信可能である通信装置を含んでいる。【００５２】  記憶部３５は、半導体メモリ等によって構成されているもので、地図情報、端末装置３０の位置情報等を格納している。【００５３】  経路探索装置５０は、経路探索装置５０を制御する制御部５１と、地図情報等を表示する表示部５２と、経路探索装置５０に対して操作を行う操作部５３と、各装置１０，３０と通信を行う通信部５４と、各種情報を格納する記憶部５５と、を有している。【００５４】  制御部５１は、中央処理装置、不揮発性メモリ、揮発性メモリを含むコンピュータである。【００５５】  位置取得部５６は、制御部５１の機能ブロックの１つである。位置取得部５６は、経路探索装置５０が搭載される自動車の位置情報を取得する。【００５６】  位置取得部５６は、例えば、GPS（Global Positioning System）受信機を有し、経路探索装置５０の緯度経度を算出することで位置情報を得ている。【００５７】  この位置情報は、緯度経度の他に、例えば、経路探索装置５０を搭載した自動車の目的地への到着予想時刻や所要時間、経路探索装置５０が位置情報をアップロードするアップロード時刻等が含まれていてもよい。【００５８】  表示部５２は、例えば、液晶等のディスプレイであって、地図情報等を表示する。【００５９】  操作部５３は、経路探索装置５０の操作を行うものであって、例えば、表示部５２に表示された入力ボタンを押下することによって入力されるタッチパネルである。【００６０】  通信部５４は、サーバー１０及び端末装置３０と通信可能にネットワークＮＷを介して通信可能に接続されている。通信部５４は、例えば、各装置１０，３０との間で様々な情報を送受信可能である通信装置を含んでいる。【００６１】  記憶部５５は、半導体メモリ等によって構成されているもので、地図情報、経路探索装置５０の位置情報等を格納している。【００６２】  以上で説明した経路案内システム１００において、経路探索装置５０が現目的地に関する情報を表示部５２に表示する処理を図４に示すフロー図に基づいて説明する。【００６３】  尚、図５に示すように、本例では、説明を簡略化するために距離ＡをＡ１〜Ａ３とし、基準距離ＢをＢ１〜Ｂ３として定めている。【００６４】  図２に示すように、端末装置３０のユーザは、例えば、表示部３２に表示された「自分の位置送信開始」ボタンを押す。端末装置３０の位置取得部３６は、端末装置３０の位置情報を取得し、取得した位置情報をサーバー１０にアップロードする。【００６５】  経路探索装置５０のユーザは、例えば、表示部５２に表示された位置送信開始ボタンを押す。経路探索装置５０の位置取得部５６は、経路探索装置５０の位置情報を取得し、取得した位置情報をサーバー１０にアップロードする。【００６６】  尚、端末装置３０と経路探索装置５０のアップロード処理は、常時行われるようにしてもよいし、通信負荷の低減を図るために、アップロード頻度を設定する条件を設けてもよい。【００６７】  アップロード頻度を設定する条件は、例えば、位置情報を取得して���ら一定時間を経過するまではアップロードを行わない条件や、前回取得した位置情報から一定範囲内であればアップロードを行わない条件等、が挙げられる。【００６８】  位置情報のアップロードは、たとえば、各装置３０，５０は、サーバー１０からの要求に応じて位置情報をアップロードするようにしてもよい。【００６９】  サーバー１０にて行われる以下の処理の開始トリガーは、サーバー１０に電源が入ったときや、端末装置３０及び経路探索装置５０から位置情報を取得したときとしてもよい。【００７０】  サーバー１０の位置取得部１２は、端末装置３０及び経路探索装置５０からアップロードされた位置情報を取得したかを判断する（ステップＳ０１）。この判断は、位置情報が取得されたと判断されるまで繰り返される。【００７１】  ステップＳ０１において、位置情報が取得されたと判断されると（ステップＳ０１：Ｙ）、現目的地設定部１３は、取得した両装置の位置情報に基づいて現目的地を設定する（ステップＳ０２）。【００７２】  ここで、経路情報生成部１６は、経路探索装置５０の現在の位置から現目的地までの経路情報を生成し、経路情報が経路探索装置５０に送信されるようにしてもよい。【００７３】  位置取得部１２は、ステップＳ０１の処理以降において、新たに位置情報を取得したかを判断する（ステップＳ０３）。この判断は、新たに位置情報が取得されたと判断されるまで繰り返される。【００７４】  ステップＳ０３において、位置情報が取得されたと判断されると（ステップＳ０３：Ｙ）、新目的地設定部１４は、ステップＳ０３において新たに取得した端末装置３０の位置情報に基づいて、新目的地を設定する（ステップＳ０４）。【００７５】  ここで、ステップＳ０４の処理において、サーバー１０の処理負荷の低減を図るために、新目的地を設定する条件を設けてもよい。【００７６】  新目的地を設定する条件は、例えば、新目的地設定部１４が新目的地を設定してから所定時間が経過すること等が挙げられる。【００７７】  現目的地設定部１３は、現目的地と経路探索装置５０間の距離ＡがＡ１範囲内であるか判断をし（ステップＳ０５）、距離ＡがＡ１範囲内であると判断したときは（ステップＳ０５：Ｙ）、現目的地と新目的地の距離が基準距離Ｂ１以上であるか判断する（ステップＳ０６）。【００７８】  現目的地設定部１３は、ステップＳ０６の判断において、距離が基準距離Ｂ１以上であると判断したときは（ステップＳ０６：Ｙ）、ステップＳ０４で設定された新目的地を現目的地に設定する（ステップＳ０７）。【００７９】  現目的地設定部１３は、ステップＳ０７で設定された現目的地の位置情報を経路探索装置５０に送信する（ステップＳ０８）。【００８０】  ここで、経路情報生成部１６は、経路探索装置５０の現在の位置から現目的地までの経路情報を生成し、現目的地の位置情報と共に経路情報が経路探索装置５０に送信されるようにしてもよい。【００８１】  現目的地設定部１３は、ステップＳ０５の判断において、距離ＡがＡ１範囲内でないと判断したときは（ステップＳ０５：Ｎ）、距離ＡがＡ２範囲内であるか判断をする（ステップＳ０９）。【００８２】  現目的地設定部１３は、距離ＡがＡ２範囲内であると判断���たときは（ステップＳ０９：Ｙ）、現目的地と新目的地の距離が基準距離Ｂ２以上であるか判断する（ステップＳ１０）。【００８３】  ステップＳ１０の判断において、現目的地設定部１３は、距離が基準距離Ｂ２以上であると判断したときは（ステップＳ１０：Ｙ）、ステップＳ０４で設定された新目的地を現目的地に設定し（ステップＳ０７）、ステップＳ０７で設定された現目的地を経路探索装置５０に送信する（ステップＳ０８）。【００８４】  ステップＳ１０の判断において、現目的地設定部１３は、現目的地と新目的地の距離が基準距離Ｂ２以上でないと判断したときは（ステップＳ１０：Ｎ）、ステップＳ０３の位置取得判断に戻る。【００８５】  現目的地設定部１３は、ステップＳ０９の判断において、距離ＡがＡ２範囲内でないと判断したときは（ステップＳ０９：Ｎ）、現目的地と新目的地の距離がＢ３以上であるか判断する（ステップＳ１１）。【００８６】  ステップＳ１１の判断において、現目的地設定部１３は、現目的地と新目的地の距離がＢ３以上であると判断したときは（ステップＳ１１：Ｙ）、ステップＳ０４で設定された新目的地を現目的地に設定し（ステップＳ０７）、ステップＳ０７で設定された現目的地を経路探索装置５０に送信する（ステップＳ０８）。【００８７】  ステップＳ１１の判断において、現目的地設定部１３は、現目的地と新目的地の距離がＢ２以上でないと判断したときは（ステップＳ１１：Ｎ）、ステップＳ０３の位置取得判断に戻る。【００８８】  尚、以上の処理は、繰り返し実行されるようにしてもよい。また、サーバー１０の処理負荷を低減するため、上記の処理を再実行するための条件を設けてもよい。処理を再実行する条件は、例えば、各装置３０，５０から位置情報がアップロードされた時刻から所定時間が経過するまで処理を行わない条件等が挙げられる。【００８９】  経路探索装置５０は、現目的地の位置情報に基づいて表示部５２に現目的地として表示する。また、現目的地の位置情報の他に経路情報も受信した場合は、表示部５２に経路情報と共に、現目的地を表示する。【００９０】  ここで、経路探索装置５０は、経路探索装置５０を搭載する自動車が交差点付近にいる場合にサーバー１０から現目的地に関する情報を受信した場合は、右左折の実行中に経路情報が更新されることを防止するために、当該交差点を通過したときに現目的地を提示するようにしてもよい。【００９１】  尚、経路探索装置５０による経路案内が頻繁に行われることによる煩わしさを低減すると共に、案内装置の処理負荷の低減を図るために、現目的地を表示する条件を設けてもよい。【００９２】  現目的地を表示する条件としては、例えば、（１）サーバー１０から送信された現目的地の情報に対して一定時間は経路案内処理を行わない、（２）誘導開始の許可、不許可ボタンを設けて表示のタイミングをユーザが選択する、等が挙げられる。【００９３】  経路探索装置５０と現目的地間の距離Ａが、例えば、５０ｍ以下になることで、経路探索装置５０は案内誘導を終了する。【００９４】  案内誘導の処理の終了は、各装置３０，５０の位置情報のアップロード処理を停止することにより行われてもよい。【００９５】  アップロード処理の停��は、例えば、図２に示すように、ユーザが、端末装置３０の表示部３２に表示された「自分の位置送信停止」ボタンを押下することにより行ってもよい。【００９６】  また、各装置３０，５０がサーバー１０から案内終了の通知を受けることにより、アップロード処理の停止を行うようにしてもよい。【００９７】  尚、サーバー１０は、端末装置３０に経路探索装置５０の位置情報等を送信するようにし、端末装置３０と経路探索装置５０との間で情報を共有するようにしてもよい。【００９８】  例えば、図６Ａに示すように、「車両位置情報」のボタンをユーザによって押下されると、端末装置３０は、サーバー１０に自動車の経路探索装置５０が搭載された自動車の位置情報等を送信するように要求する。【００９９】  位置情報等を受信した端末装置３０は、例えば、図６Ｂに示すように、自動車の到着予想時刻や、自動車の所要時間等を経路探索装置５０が搭載された自動車の位置等を表示部３２に表示する。【０１００】  このように、端末装置３０のユーザは、自動車の現在地と到着予想時刻を知ることができ、到着時刻に合わせて行動計画を立てることが可能となり、ユーザの使用感を高めることができる。【０１０１】  以上のように、本発明の情報処理装置によれば、経路探索装置５０と端末装置３０の間の距離Ａに応じて適切なタイミングでユーザに情報を提示することが可能である。【０１０２】  そのため、端末装置３０の位置が更新される毎に目的地の変更が通知される煩わしさを解消することができる。したがって、本発明の情報処理装置は、ユーザの使用感を高めることができる。【０１０３】  尚、本実施例においては、現目的地への経路情報の生成は、経路探索装置５０が行ってもよい。【０１０４】  経路探索装置５０が経路情報の生成を行う場合、経路探索装置５０の制御部５１に機能ブロックとして経路情報生成部１６を設ける。経路情報生成部１６は、サーバー１０から送信された現目的地の位置情報に基づいて経路情報を生成するとよい。【０１０５】  また、経路探索装置５０を搭載した自動車が端末装置３０の周辺に向かうために、端末装置３０の位置情報に基づいて現目的地等を設定するようにした。しかし、端末装置３０が経路探索装置５０の周辺に向かうために経路探索装置５０の位置情報に基づいて現目的地等を設定するようにしてもよい。【０１０６】  このようにした場合には、現目的地設定部１３は、経路探索装置５０の位置に基づいて現目的地を設定するとよい。基準距離設定部１７は、現目的地と端末装置３０の位置に基づいて基準距離を設定するとよい。新目的地設定部１４は、経路探索装置５０の位置に基づいて新目的地を設定するとよい。
【実施例２】
【０１０７】  実施例１では、基準距離Ｂは、現目的地と経路探索装置５０間の距離Ａに応じて、現目的地と新目的地の距離を定めたものとして説明した。基準距離Ｂは、経路探索装置５０を搭載した自動車が現目的地に到着するまでの所要時間Ｔに応じて、現目的地と新目的地の距離を定めたものであってもよい。【０１０８】  サーバー１０の基準距離設定部１７は、現目的地及び経路探索装置５０の位置に基づいて、経路探索装置５０を搭載した自動車が現目的地に到着するまでの所要時間Ｔを算出し、この所要時間Ｔに基づいて基準距離Ｂを設定する。具体的には、基準距離設定部１７は、経路探索装置５０が搭載された自動車が案内される一般道路や高速道路の経路、及び混雑状況を勘案して所要時間を算出する。その他の構成は実施例１と同一であるので説明を省略する。【０１０９】  このように基準距離Ｂを設定するときは、図７に示すように、例えば、所要時間ＴがＴ１〜Ｔ５の所要時間に相当するときの基準距離ＢがＢ１〜Ｂ５に定められる。【０１１０】  具体的な所要時間Ｔのとしては、所要時間Ｔが５分以内のときをＴ１、５−１０分のときをＴ２、１０−２０分ときをＴ３、２０−４０分のときをＴ４、４０分以上のときをＴ５として定めている。【０１１１】  所要時間Ｔ１〜Ｔ５に応じた基準距離Ｂは、実施例１と同一であるので説明を省略する。【０１１２】  基準距離Ｂは、距離Ａに応じて設定した場合と同様に、所要時間Ｔが短いときは頻繁に現目的地設定部１３が現目的地の位置情報を送信し、所要時間Ｔが長くなるにしたがって現目的地設定部１３が現目的地の位置情報を送信する間隔がより長くなるように設定するとよい。【０１１３】  以下、基準距離Ｂを所要時間Ｔに応じて、現目的地と新目的地の距離を定めた場合の経路探索装置５０が現目的地に関する経路情報を表示部５２に表示する処理を説明する。【０１１４】  尚、図８に示すように、本例では、説明を簡略化するために所要時間ＴをＴ１〜Ｔ３とし、基準距離ＢをＢ１〜Ｂ３として定めている。【０１１５】  図９において、ステップＳ１０１〜１０４まで、ステップＳ１０６〜１０８まで、及びステップＳ１１０〜１１１までは実施例１の処理と同じであるので説明を省略する。【０１１６】  現目的地設定部１３は、所要時間ＴがＴ１範囲内であるか判断をし（ステップＳ１０５）、所要時間ＴがＴ１範囲内であると判断したときは（ステップＳ１０５：Ｙ）、現目的地と新目的地の距離が基準距離Ｂ１以上であるか判断する（ステップＳ１０６）。【０１１７】  現目的地設定部１３は、ステップＳ１０５の判断において、所要時間ＴがＴ１範囲内でないと判断したときは（ステップＳ１０５：Ｎ）、所要時間ＴがＴ２範囲内であるか判断をする（ステップＳ１０９）。【０１１８】  現目的地設定部１３は、所要時間ＴがＴ２範囲内であると判断したときは（ステップＳ１０９：Ｙ）、現目的地と新目的地の距離が基準距離Ｂ２以上であるか判断する（ステップＳ１１１）。【０１１９】  現目的地設定部１３は、ステップＳ１０９の判断において、所要時間ＴがＴ２範囲内でないと判断したときは（ステップＳ１０９：Ｎ）、現目的地と新目的地の距離がＢ３以上であるか判断する（ステップＳ１１１）。【０１２���】  このように、所要時間Ｔに応じて基準距離Ｂを定めることで、所要時間Ｔが短くなれば頻繁に現目的地設定部１３から現目的地を送信される一方で、所要時間Ｔが長くなるにしたがって現目的地設定部１３から現目的地を送信される頻度は少なくなる。このため、自動車が渋滞などで距離Ａが短い場合であっても、頻繁に現目的地設定部１３から現目的地を送信されることがなく、ユーザの使用感を高めることができる。
【実施例３】
【０１２１】  実施例１及び２においては、サーバー１０が新目的地を現目的地に設定する処理を行うようにした。この処理は、経路探索装置５０が行ってもよい。【０１２２】  具体的には、図１０に示すように、経路探索装置５０は、制御部５１の機能ブロックとして、位置取得部５６と、現目的地設定部５７と、新目的地設定部５８と、基準距離設定部５９と、基準距離設定部５９と、経路情報生成部６０と、を有している。【０１２３】  これらの各部５６，５７，５８，５９，６０は、実施例１と同一の機能を有するので説明を省略する。また、経路探索装置５０が新目的地を現目的地に設定して経路情報を生成する処理については、実施例１と同一であるので説明を省略する。【０１２４】  尚、端末装置３０及び経路探索装置５０は、例えば、無線通信を介して互いに通信可能に接続し、サーバー１０を介さずに端末装置３０と経路探索装置５０間で直接的にデータのやり取りを行って処理を行ってもよい。
【実施例４】
【０１２５】  実施例１及び２においては、サーバー１０が新目的地を現目的地に設定する処理を行うようにした。この処理は、端末装置３０が行ってもよい。【０１２６】  具体的には、図１１に示すように、端末装置３０は、制御部３１の機能ブロックとして、位置取得部３６と、現目的地設定部３７と、新目的地設定部３８と、基準距離設定部３９と、経路情報生成部４０と、を有している。【０１２７】  これらの各部３６，３７，３８，３９，４０は、実施例１と同一の機能を有するので説明を省略する。また、端末装置３０が新目的地を現目的地に設定して経路情報を生成する処理については、実施例１と同一であるので説明を省略する。【０１２８】  尚、実施例２で説明したように、サーバー１０を介さずに端末装置３０と経路探索装置５０との間で直接的にデータのやり取りを行って処理を行ってもよい。
【実施例５】
【０１２９】  実施例１ないし４においては、現目的地設定部は、現目的地と新目的地との距離が基準距離以上となった場合に当該新目的地を現目的地に設定するようにした。現目的地の設定は、現目的地を設定した時刻から基準時間が経過した場合に行われるようにしてもよい。【０１３０】  図１２に示すように、サーバー１０は、制御部１１の機能ブロックとして、上述の機能ブロック以外に、基準時間設定部２１を有している。【０１３１】  基準時間設定部２１は、現目的地と現目的地を設定した際の経路探索装置５０との距離に基づいて基準時間Ｓを設定する。【０１３２】  基準時間Ｓは、例えば、図１３Ａに示すように、距離Ａに応じて、現目的地を設定した時刻からの経過時間を定めたものである。【０１３３】  図１３Ａに示すように、距離ＡがＡ１〜Ａ５の距離に相当するときの基準時間ＳがＳ１〜Ｓ５に定められている。距離Ａ１〜Ａ５は、実施例１と同一であるので説明を省略する。【０１３４】  距離Ａ１〜Ａ５に応じた基準時間Ｓは、距離Ａ１のときの基準距離をＳ１（１５秒）とし、距離Ｓ２のときの基準時間ＳをＳ２（３０秒）とし、距離Ａ３のときの基準時間ＳをＳ３（６０秒）とし、距離Ａ４のときの基準時間ＳをＳ４（１２０秒）とし、距離Ａ５のときの基準時間ＳをＳ５（３００秒）として定められている。【０１３５】  したがって、例えば、距離Ａが１０ｋｍ以上離れている距離Ａ５に相当するときは、基準時間Ｓ５に相当する３００秒以上経過したときに、現目的地設定部１３が新たに設定した現目的地を経路探索装置５０に送信するように定められている。【０１３６】  このように、基準時間Ｓは、距離Ａが短いときは頻繁に現目的地設定部１３が現目的地を送信し、距離Ａが長くなるにしたがって現目的地設定部１３が現目的地を送信する間隔をより長くなるように設定するとよい。【０１３７】  なお、基準距離Ａを所要時間Ｔに応じて設定したように、基準時間Ｓも所要時間Ｔに応じて設定してもよい。【０１３８】  例えば、図１３Ｂに示すように、所要時間Ｔ１〜Ｔ５に応じて基準時間ＳをＳ１〜Ｓ５に設定することもできる。これらのＴ１〜Ｔ５及びＳ１〜Ｓ５の数値は、上記の説明と同一であるので説明を省略する。【０１３９】  以上で説明した経路案内システム１００において、経路探索装置５０が新目的地に関する経路情報を表示部５２に表示する処理を図１４に示すフロー図に基づいて説明する。【０１４０】  なお、本実施例においては、図１３Ｃに示すように、説明を簡略化するために、距離ＡをＡ１〜Ａ３とし、基準時間ＳをＳ１〜Ｓ３として定めている。【０１４１】  図１４において、ステップＳ２０１〜ステップＳ２０５においては、実施例１で説明した処理のステップＳ０１〜ステップＳ０５に相当するので説明を省略する。【０１４２】  ステップＳ２０５において、現目的地設定部１３は、距離ＡはＡ１の範囲内であると判断すると（ステップＳ２０５：Ｙ）、基準時間Ｓ１が経過したか判断する（ステップＳ２０６）。【０１４３】  現目的地設定部１３は、ステップＳ２０６の判断において、基準時間Ｓ１が経過していないと判断したときは（ステップＳ２０６：Ｎ）、ステップＳ２０３の処理に戻る。【０１４４】  現目的地設定部１３���、ステップＳ２０６の判断において、基準時間Ｓ１が経過したと判断したときは（ステップＳ２０６：Ｙ）、現目的地と新目的地の距離がＢ１以上であるか判断する（ステップＳ２０７）。以後の処理は実施例１と同一であるので説明を省略する。【０１４５】  ステップＳ２０５の判断において、現目的地設定部１３は、距離ＡはＡ１の範囲内でないと判断すると（ステップＳ２０５：Ｎ）、距離ＡはＡ２の範囲内であるか判断する（ステップＳ２１０）。【０１４６】  ステップＳ２１０において、現目的地設定部１３は、距離ＡはＡ２の範囲内であると判断したときは（ステップＳ２１０：Ｙ）、基準時間Ｓ２が経過したか判断する（ステップＳ２１１）。【０１４７】  ステップＳ２１１の判断において、基準時間Ｓ２が経過していないと判断したときは（ステップＳ２１１：Ｎ）、ステップＳ２０３の処理に戻る。【０１４８】  現目的地設定部１３は、ステップＳ２１１の判断において、基準時間Ｓ２が経過したと判断したときは（ステップＳ２１１：Ｙ）、現目的地と新目的地の距離がＢ２以上であるか判断する（ステップＳ２１２）。以後の処理は実施例１と同一であるので説明を省略する。【０１４９】  ステップＳ２１０において、現目的地設定部１３は、距離ＡはＡ２の範囲内でないと判断したときは（ステップＳ２１０：Ｎ）、基準時間Ｓ３が経過したか判断する（ステップＳ２１３）。【０１５０】  ステップＳ２１３の判断において、基準時間Ｓ３が経過していないと判断したときは（ステップＳ２１３：Ｎ）、ステップＳ２０３の処理に戻る。【０１５１】  現目的地設定部１３は、ステップＳ２１３の判断において、基準時間Ｓ３が経過したと判断したときは（ステップＳ２１３：Ｙ）、現目的地と新目的地の距離がＢ３以上であるか判断する（ステップＳ２１４）。以後の処理は実施例１と同一であるので説明を省略する。
【実施例６】
【０１５２】  実施例５においては、サーバー１０が新目的地を現目的地に設定する処理を行うようにした。この処理は、経路探索装置５０が行ってもよい。【０１５３】  図１５に示すように、経路探索装置５０は、制御部５１の機能ブロックとして、上述の機能ブロック以外に、基準時間設定部６１を有している。【０１５４】  その他の構成は実施例３と同一であるので説明を省略する。また、この処理についても実施例５と同一であるので説明を省略する。
【実施例７】
【０１５５】  実施例５においては、サーバー１０が新目的地を現目的地に設定する処理を行うようにした。この処理は、端末装置３０が行ってもよい。【０１５６】  図１６に示すように、端末装置３０は、制御部３１の機能ブロックとして、上述の機能ブロック以外に、基準時間設定部４２を有している。【０１５７】  その他の構成は実施例４と同一であるので説明を省略する。また、この処理についても実施例５と同一であるので説明を省略する。【０１５８】  尚、実施例５ないし７において、制御部１１，５１，３１は機能ブロックの１つとして基準距離設定部１７，６１，４１を設けて実施したが、基準距離設定部１７，６１，４１を除いて実施してもよい。その場合は、図１４に示すフロー図のステップＳ２０７、ステップＳ２１２、ステップＳ２１４の処理は行われずに処理が実行される。【０１５９】  また、上記で説明した制御部１１，３１，５１の機能ブロックは、いずれの制御部１１，３１，５１も有するようにして、各装置１０，３０，５０のいずれかが上記で説明した処理を適宜行うようにしてもよい。【０１６０】  また実施例１ないし７においては、経路案内システム１００を、サーバー１０と、端末装置３０と、経路探索装置５０とで構成した。しかし、経路案内システム１００を、サーバー１０と、２台の経路探索装置５０とで構成してもよい。【０１６１】  このように経路案内システム１００を構成した場合は、一方の経路探索装置５０が、他方の経路探索装置５０の周辺に向かうために、他方の経路探索装置５０の位置情報に基づいて現目的地等を設定するようにするとよい。【０１６２】  同様に、経路案内システム１００を、サーバー１０と、２台の端末装置３０とで構成してもよい。【０１６３】  このように経路案内システム１００を構成した場合は、一方の端末装置３０が他方の端末装置３０の周辺に向かうために、他方の端末装置３０の位置情報に基づいて現目的地等を設定するようにするとよい。
【符号の説明】
【０１６４】１０  情報処理装置１２  位置取得部１３  現目的地設定部１４  新目的地設定部１６  経路情報生成部１７  基準距離設定部１８  算出部２１  基準時間設定部３０  端末装置５０  経路探索装置
【図１】
2018198660.tif 000003
【図２】
2018198660.tif 000004
【図３】
2018198660.tif 000005
【図４】
2018198660.tif 000006
【図５】
2018198660.tif 000007
【図６Ａ】
2018198660.tif 000008
【図６Ｂ】
2018198660.tif 000009
【図７】
2018198660.tif 000010
【図８】
2018198660.tif 000011
【図９】
2018198660.tif 000012
【図１０】
2018198660.tif 000013
【図１１】
2018198660.tif 000014
【図１２】
2018198660.tif 000015
【図１３Ａ】
2018198660.tif 000016
【図１３Ｂ】
2018198660.tif 000017
【図１３Ｃ】
2018198660.tif 000018
【図１４】
2018198660.tif 000019
【図１５】
2018198660.tif 000020
【図１６】
2018198660.tif 000021
【国際調査報告】
2018198660.tif 000022
2018198660.tif 000023
2018198660.tif 000024